(57)【要約】      （修正有）【課題】有害物質を吸着する機能を向上させたマスクと、吸着機能を向上させるためにマスクに装着される機能補助シート体とを提供する。【解決手段】マスクは、有害物質を吸着する吸着機能を有する又は複数のフィルター部４を含んでおり、使用者の鼻及び口を覆うように配置されるマスク本体２と、マスク本体２の左右側部に夫々設けられる左右一対の耳掛け部と、を備えており、マスク本体２は、使用者が吸う空気を浄化するための麦飯石粉末７を含んでいる。機能補助シート体は、マスクの機能を補助するためにマスクに装着され、マスクの使用者が吸う空気を浄化するための麦飯石粉末７を含むシート本体と、シート本体の一方の主面において、シート本体の縁に沿って設けられた接着層と、接着層に剥離可能に接着される剥離シートとを含む。【選択図】図２
0003227662.tif 000002
【実用新案登録請求の範囲】
【請求項１】
有害物質を吸着する吸着機能を有する１又は複数のフィルター部を含んでおり、使用者の鼻及び口を覆うように配置されるマスク本体と、
前記マスク本体の左右側部に夫々設けられる左右一対の耳掛け部と、
を備えており、
前記マスク本体は、前記使用者が吸う空気を浄化するための麦飯石粉末又は麦飯石セラミックスを含んでいる、マスク。
【請求項２】
前記マスク本体は、前記麦飯石粉末を含んでおり、
前記１又は複数のフィルター部はシート状に形成されて、且つ一対の通気性シートに挟まれており、前記一対の通気性シートの少なくとも何れかに前記麦飯石粉末が付着又は担持されている、請求項１に記載のマスク。
【請求項３】
前記一対の通気性シートの少なくとも何れかにおける前記１又は複数のフィルター部側に向いた面に、前記麦飯石粉末が付着されている、請求項２に記載のマスク。
【請求項４】
前記一対の通気性シートの少なくとも何れかに塗布された半固形物を介して前記麦飯石粉末が前記一対の通気性シートに付着している、又は、前記麦飯石粉末を分散させた半固形物が前記一対の通気性シートの少なくとも何れかに塗布されている、請求項２又は請求項３に記載のマスク。
【請求項５】
前記マスク本体は、前記麦飯石粉末を含んでおり、
前記１又は複数のフィルター部は、前記麦飯石粉末が付着又は担持されているフィルター部を含む、請求項１乃至４の何れかに記載のマスク。
【請求項６】
前記１又は複数のフィルター部は、前記麦飯石粉末が付着又は担持されているフィルター部、或いは、前記麦飯石セラミックスを備えるフィルター部を含んでおり、
前記１又は複数のフィルター部は、前記マスク本体のフィルター保持部に着脱自在に配置されており、前記フィルター保持部には、前記フィルター保持部に配置された前記１又は複数のフィルター部を支持する通気性を有する蓋体が着脱自在に設けられる、請求項１に記載のマスク。
【請求項７】
前記マスク本体は、抗菌及び／又は抗ウイルス作用を有する金属粉末、抗菌及び／又は抗ウイルス作用を有する光触媒粉末、及び／又は、前記金属粉末と前記光触媒粉末の混合物を更に含む、請求項１乃至６の何れかに記載のマスク。
【請求項８】
マスクの機能を補助するために前記マスクに装着されるマスク用機能補助シート体であって、
前記マスクの使用者が吸う空気を浄化するための麦飯石粉末又は麦飯石セラミックスを含んでおり、通気性を有するシート本体を備える、マスク用機能補助シート体。
【請求項９】
前記シート本体の一方の主面において、前記シート本体の縁に沿って設けられた接着層と、
前記接着層に剥離可能に接着されて、前記一方の主面を覆うように配置される剥離シートと、
を含む、請求項８に記載のマスク用機能補助シート体。
【請求項１０】
前記シート本体は前記麦飯石粉末を含んでおり、
前記麦飯石粉末は、前記一方の主面における前記接着層を除いた領域に付着している、請求項９に記載のマスク用機能補助シート体。
【請求項１１】
前記シート本体は前記麦飯石粉末を含んでおり、
前記一方の主面に塗布された半固形物を介して前記麦飯石粉末が前記シート本体に付着している、又は、前記麦飯石粉末を分散させた半固形物が前記一方の主面に塗布されている、請求項９又は請求項１０に記載のマスク用機能補助シート体。
【請求項１２】
前記シート本体は、抗菌及び／又は抗ウイルス作用を有する金属粉末、抗菌及び／又は抗ウイルス作用を有する光触媒粉末、及び／又は、前記金属粉末と前記光触媒粉末の混合物を更に含む、請求項８乃至１１の何れかに記載のマスク用機能補助シート体。
【考案の詳細な説明】
【技術分野】
【０００１】
本考案は、ウイルス、細菌、花粉、ハウスダストなどの有害物質から人体を保護するためのマスクと、マスクに装着されてその機能を補助するマスク用機能補助シート体とに関する。
【背景技術】
【０００２】
空気中に浮遊するウイルス、細菌、花粉、及びハウスダストや、ウイルス及び／又は細菌を含む飛沫から人体を保護するために、マスクが広く使用されている。このような用途で使用される一般的なマスクは、ウイルス等の有害物質を吸着する吸着機能を有するシート状のフィルターと、当該フィルターを挟むように配置された不織布シートとを備えるマスク本体を有している（特許文献１参照）。
【先行技術文献】
【特許文献】
【０００３】
【特許文献１】実用新案登録第３１８８１５６号
【考案の概要】
【考案が解決しようとする課題】
【０００４】
このようなマスクにおいて、吸着機能の向上は恒常的な課題である。本考案は、吸収機能を向上させたマスクと、吸収機能を向上させるためにマスクに装着される機能補助シート体とに関する。
【課題を解決するための手段】
【０００５】
本考案のマスクは、有害物質を吸着する吸着機能を有する１又は複数のフィルター部を含んでおり、使用者の鼻及び口を覆うように配置されるマスク本体と、前記マスク本体の左右側部に夫々設けられる左右一対の耳掛け部と、を備えており、前記マスク本体は、前記使用者が吸う空気を浄化するための麦飯石粉末又は麦飯石セラミックスを含んでいる。
【０００６】
本考案のマスクでは、前記１又は複数のフィルター部はシート状に形成されて、且つ一対の通気性シートに挟まれており、前記一対の通気性シートの少なくとも何れかに前記麦飯石粉末が付着又は担持されてよい。
【０００７】
本考案のマスクでは、前記一対の通気性シートの少なくとも何れかにおける前記１又は複数のフィルター部側に向いた面に、前記麦飯石粉末が付着されてよい。
【０００８】
本考案のマスクでは、前記一対の通気性シートの少なくとも何れかに塗布された半固形物を介して前記麦飯石粉末が前記一対の通気性シートに付着してよく、又は、前記麦飯石粉末を分散させた半固形物が前記一対の通気性シートの少なくとも何れかに塗布されてよい。
【０００９】
本考案のマスクでは、前記１又は複数のフィルター部は、前記麦飯石粉末が付着又は担持されているフィルター部、或いは、前記麦飯石セラミックを備えるフィルター部を含んでよい。前記１又は複数のフィルター部は、前記マスク本体のフィルター保持部に着脱自在に配置されており、前記フィルター保持部には、前記フィルター保持部に配置された前記１又は複数のフィルター部を支持する通気性を有する蓋体が着脱自在に設けられてよい。
【００１０】
本考案のマスクでは、前記マスク本体は、抗菌及び／又は抗ウイルス作用を有する金属粉末、抗菌及び／又は抗ウイルス作用を有する光触媒粉末、及び／又は、前記金属粉末と前記光触媒粉末の混合物を更に含んでよい。
【００１１】
本考案のマスク用機能補助シート体は、マスクの機能を補助するために前記マスクに装着されるマスク用機能補助シート体であって、前記マスクの使用者が吸う空気を浄化するための麦飯石粉末又は麦飯石セラミックスを含んでおり、通気性を有するシート本体を含んでいる。
【００１２】
本考案のマスク用機能補助シート体は、前記シート本体の一方の主面において、前記シート本体の縁に沿って設けられた接着層と、前記接着層に剥離可能に接着されて、前記一方の主面を覆うように配置される剥離シートと、を含んでよい。
【００１３】
本考案のマスク用機能補助シート体では、前記麦飯石粉末は、前記一方の主面における前記接着層を除いた領域に付着していてよい。本考案のマスク用機能補助シート体では、前記一方の主面に塗布された半固形物を介して前記麦飯石粉末が前記シート本体に付着してよく、又は、前記麦飯石粉末を分散させた半固形物が前記一方の主面に塗布されてよい。
【００１４】
本考案のマスク用機能補助シート体では、前記シート本体は、抗菌及び／又は抗ウイルス作用を有する金属粉末、抗菌及び／又は抗ウイルス作用を有する光触媒粉末、及び／又は、前記金属粉末と前記光触媒粉末の混合物を更に含んでよい。
【考案の効果】
【００１５】
本考案によれば、麦飯石が有する吸着作用により、マスクの吸着機能を向上させることができ、マスクの使用者が吸う空気の浄化が促進される。また、本考案のマスク用機能補助シート体を既存のマスクに装着することで、既存のマスクの吸着機能を向上させることができる。
【図面の簡単な説明】
【００１６】
【図１】図１は、本考案の第１実施形態であるマスクを示す正面図である。
【図２】図２は、本考案の第１実施形態であるマスクのマスク本体の分解斜視図である。
【図３】図３は、本考案の第２実施形態であるマスクのマスク本体の分解斜視図である。
【図４】図４は、本考案の第３実施形態であるマスクのマスク本体の分解斜視図である。
【図５】図５は、本考案の第４実施形態であるマスクの斜視図である。
【図６】図６は、本考案の第４実施形態であるマスクの部分断面図である。
【図７】図７は、本考案に係る機能補助シート体の使用方法を説明する説明図である。
【図８】図８は、本考案の第５実施形態である機能補助シート体の分解斜視図である。
【図９】図９は、本考案の第６実施形態である機能補助シート体の分解斜視図である。
【図１０】図１０は、本考案の第７実施形態である機能補助シート体の分解斜視図である。
【考案を実施するための形態】
【００１７】
以下、本考案について、図を用いて説明する。図１は、本考案の第１実施形態であるマスク１を示す正面図である。マスク１は、ウイルス、細菌、花粉、ハウスダストなどの物質から使用者を保護するために用いられるものであって、使用者の鼻及び口を覆うように配置されるマスク本体２と、マスク本体２の左右側部に夫々設けられる左右一対の耳掛け部３ａ，３ｂと含んでいる。図２は、マスク本体２の分解斜視図である。
【００１８】
マスク本体２は、ウイルス等の有害物質を吸着する吸着機能を有するシート状のフィルター部４と、フィルター部４を挟むように配置される第１通気性シート５及び第２通気性シート６とを含んでいる。マスク本体２には、図１に示すように、着用時に使用者の顔に沿うようにマスク本体２を変形可能とする複数のプリーツ２１が形成されている。
【００１９】
第１通気性シート５及び第２通気性シート６は、マスク用に使用されている公知のシート用材料で形成されてよく、例えば不織布で形成されてよい。不織布としては、コットン、レーヨン、ポリエステル、ポリプロピレン等の繊維を、又はこれらのような複数種類の繊維の混紡したものを、接着剤等や熱プレスなどでシート状にしたものが使用でき、より具体的にはスパンボンド不織布やポイントボンド不織布などが使用され得る。不織布以外にも、和紙、ガーゼなどが通気性シート５，６の材料として使用されてよい。
【００２０】
フィルター部４は、マスク用に使用されている公知のフィルター用材料で形成されてよく、有害物質を吸着する吸着機能を有している。例えば、フィルター部４としては、通気性シート５，６よりも目の細かい極細繊維不織布が使用されてよく、より具体的には、ポリウレタン樹脂を用いたメルトブロー不織布が使用されてよい。
【００２１】
本考案のマスク１の特徴は、マスク本体２が、使用者が吸う空気を浄化するために麦飯石粉末７を含んでいることである。麦飯石は、二酸化ケイ素、酸化アルミニウム、酸化第二鉄、酸化マグネシウム、酸化ナトリウム、酸化カリウム、酸化カルシウム、酸化チタン、五酸化二リンを含む花崗斑岩又は石英斑岩の１種である。麦飯石は多孔質であって吸着力が強く、抗菌効果に優れていることが知られている。
【００２２】
本実施形態では、麦飯石粉末７は、マスク本体２において外側に配置される第１通気性シート５に含められる。より具体的には、マスク１の製造工程において、図２に示すように、第１通気性シート５の裏面、即ち、フィルター部４側に向いた面に麦飯石粉末７が付着される。麦飯石粉末７の粒径は、例えば１００〜３００メッシュとされる。第１通気性シート５に麦飯石粉末７を振り掛けると、第１通気性シート５の細孔や隙間に入り込むことで、（振り掛けた麦飯石粉末７の全てではないが）第１通気性シート５の若干の変形では脱離しない程度に麦飯石粉末７が第１通気性シート５に付着する。麦飯石粉末７の第１通気性シート５への付着を補助するために、第１通気性シート５の裏面に接着剤を噴霧した後に、麦飯石粉末７が、第１通気性シート５の裏面に振り掛けられてよい。なお、麦飯石粉末７は、第１通気性シート５の縁部を避けて付着される。
【００２３】
マスク１の製造工程においては、第１通気性シート５に麦飯石粉末７を付着させた後、第１通気性シート５の縁部、フィルター部４の縁部及び第２通気性シート６の縁部が熱溶着等の手段を用いて接合される。その後、プリーツ２１を形成するように、第１通気性シート５、フィルター部４、及び第２通気性シート６が折られる。その後、第１通気性シート５の両端に耳掛け部３ａ，３ｂの端部が配置され、その上から第１通気性シート５の両端に帯体５１（図１参照）が夫々配置される。これら帯体５１が、耳掛け部３ａ，３ｂの端部と、第１通気性シート５と熱溶着等の手段を用いて接合されることでマスク１が完成する。
【００２４】
第１通気性シート５に麦飯石粉末７を担持させることで、第１通気性シート５に麦飯石粉末７が含められてよい。例えば、第１通気性シート５の製造工程において、第１通気性シート５を構成する繊維等の構成要素と麦飯石粉末７とが混合されてよく、当該構成要素が麦飯石粉末の粒子を含むように形成されてよい。
【００２５】
図３に示すように、麦飯石粉末７は、半固形物７１を利用して第１通気性シート５に含められてよい。半固形物７１は、例えば、ワセリンなどの軟膏の基剤として使用されている材料であってよい。第１通気性シート５に半固形物を塗布し、その後、麦飯石粉末７が第１通気性シート５に振り掛けられてよく、或いは、麦飯石粉末７を分散させた半固形物７１が第１通気性シート５に塗布されてよい。なお、マスク１の機能を損なわないように、使用される半固形物７１の量はできるだけ少なくされることが好ましい。
【００２６】
上記の実施形態では、第１通気性シート５に麦飯石粉末７が含められているが、第１通気性シート５に代えて、或いは、第１通気性シート５に加えて、上記のように第２通気性シート６に麦飯石粉末７が含められてよい。上記の実施形態では、第１通気性シート５及び第２通気性シート６は別々のシートであるが、一枚のシートを折ることで、第１通気性シート５及び第２通気性シート６が構成されてよく、その場合、麦飯石粉末７が担持された一枚のシートが用いられてよい。
【００２７】
マスク１のフィルター部４に麦飯石粉末７が含められてもよい。また、図４に示すように、マスク１は、複数枚のフィルター部４１，４２を備えてよく（図４では２枚のフィルター部４１，４２）、その中に麦飯石粉末７を含む１又は複数のフィルター部４１が含められてよい。
【００２８】
図５は、本発明の更なる実施形態のマスク１の斜視図である（図５において、先の実施形態に対応する構成要素には先と同じ符号を付ける）。マスク１は、椀状に形成されており、可撓性を有する顔当て部２２を有するマスク本体２と、マスク本体２の左右側部に夫々設けられる左右一対の耳掛け部３ａ，３ｂと含んでいる。マスク本体２には、略円筒状のフィルター保持部２３が設けられている。フィルター保持部２３の前端部は、複数の通気孔２４が開設された円状の板体２５で閉じられている。顔当て部２２、フィルター保持部２３及び板体２５は、例えばプラスチックで形成されており、通気性を有していない。
【００２９】
図６は、マスク１の一部を示す断面図である。フィルター保持部２３の内部には、ウイルス等の有害物質を吸着する吸着機能を有する円盤状の第１フィルター部４３及び第２フィルター部４４が着脱自在に配置される。第１フィルター部４３は、麦飯石粉末７を含んでおり、第１フィルター部４３は、先の実施形態と同様に、不織布、ガーゼ、和紙等で構成された通気性を有する部材に、麦飯石粉末７を付着又は担持させたものであってよい。第２フィルター部４４には、先のポリウレタン樹脂を用いたメルトブロー不織布が使用されてよい。第１フィルター部４３及び第２フィルター部４４は、フィルター機能を有する材料をカートリッジ化することで交換自在に構成したものであってよい。
【００３０】
フィルター保持部２３の内部に配置された第１フィルター部４３及び第２フィルター部４４を支持するために、フィルター保持部２３の他方の端部は、通気性を有する蓋体２６で閉じられる。蓋体２６は、フィルター保持部２３等と同様にプラスチックで形成されており、空気が通る複数の通気孔２７が開設されている。蓋体２６は、摩擦や弾性変形などを利用した固定手段（図示省略）によってフィルター保持部２３に着脱自在に取り付けられて、板体２５との間で、第１フィルター部４３及び第２フィルター部４４を挟持する。フィルター保持部２３に配置されるフィルター部の数は、２つに限定されず、１つであっても３つ以上であってもよい。
【００３１】
上記の実施形態は、麦飯石粉末７を含むマスク本体２を有するマスク１であるが、図７に示すように、麦飯石粉末７を含むマスク用機能補助シート体８を、麦飯石粉末を含んでいない既存のマスク１０のマスク本体２に装着することで、マスク１０の吸着機能の向上が図られてよい。マスク１０は、麦飯石粉末７を含んでいない点を除いて図１に記載のマスク１と同様に構成されている。
【００３２】
図８は、本考案の第５実施形態であるマスク用機能補助シート体８の分解斜視図である。長方形状のマスク用機能補助シート体８は、麦飯石粉末７が一方の主面に付着されており、通気性を有するシート本体８１を備えている。当該主面の縁部に沿って、接着層８２が帯状に形成されている。シート本体８１を構成する材料は上述の第１通気性シート５と同様である。剥離シート８３は、接着層８２に剥離可能に接着されて、当該主面を覆うように配置される。マスク用機能補助シート体８は、剥離シート８３が着けられた状態で保管されており、使用者が剥離シート８３を剥がして接着層８２を露出させた後、マスク用機能補助シート体８をマスク１０のマスク本体の表側に貼ることで、マスク用機能補助シート体８は、マスク１０に装着される。マスク１０がプリーツ２１を有する場合には、図６に示すように、プリーツ２１が伸ばされた状態で、マスク用機能補助シート体８がマスク１０のマスク本体に装着されることが好ましい。
【００３３】
本実施形態では、麦飯石粉末７は、シート本体８１の一方の主面に付着されているが、上述したマスク１と同様に、シート本体８１に麦飯石粉末７を担持させることで、シート本体８１に麦飯石粉末７が含められてよい。また、麦飯石粉末７は、半固形物７１を利用してシート本体８１に含められてよい。
【００３４】
図９は、本考案の第６実施形態であるマスク用機能補助シート体８の分解斜視図である。本実施形態のマスク用機能補助シート体８には、シート本体８１の裏側に袋部８４が設けられており、袋部８４に、麦飯石粉末７を含むシート状のフィルター部８５が挿入される。袋部８４は、シート本体８１を構成する材料と同様な材料で構成されたシートの縁部を、上縁部を除いてシート本体８１に接合することで構成される。接着層８２及び剥離シート８３と、マスク用機能補助シート体８の使用方法とは、図８に示す第５実施形態と同様である。
【００３５】
本考案の第６実施形態であるマスク用機能補助シート体８では、麦飯石粉末７に加えて抗菌及び／又は抗ウイルス作用を有する追加粉末７２がフィルター部８５に含められている。追加粉末７２は、抗菌及び／又は抗ウイルス作用を有する金属粉末、抗菌及び／又は抗ウイルス作用を有する光触媒粉末、及び／又は、そのような金属粉末と光触媒粉末の混合物である。抗菌及び／又は抗ウイルス作用を有す金属粉末としては、例えば、銅粉末、銀粉末、亜鉛粉末、又はそれらを混合したものが使用されてよい。光照射による抗菌及び／又は抗ウイルス作用を有する光触媒粉末としては、酸化チタン（例えば、アパタイト被覆二酸化チタン）、酸化亜鉛、又はそれらを混合したものが使用されてよい。
【００３６】
フィルター部８５の材料としては、第１実施形態のマスク１のフィルター部４、第１通気性シート５及び第２通気性シート６に関連して上述した材料が使用されてよい。麦飯石粉末７及び追加粉末７２をフィルター部８５に含める方法としては、上述したようにして、麦飯石粉末７及び追加粉末７２の混合物をフィルター部８５に付着させる工程がなされてよく、又は、麦飯石粉末７及び追加粉末７２の混合物がフィルター部８５を構成する材料に担持されてよい。
【００３７】
図１０は、本考案の第７実施形態であるマスク用機能補助シート体８の分解斜視図である。本実施形態のマスク用機能補助シート体８では、麦飯石粉末を焼成して作製した麦飯石セラミックス７３が袋部８４に挿入される。麦飯石セラミックス７３には、先の実施形態で述べた追加粉末７２、即ち、抗菌及び／又は抗ウイルス作用を有する金属粉末、抗菌及び／又は抗ウイルス作用を有する光触媒粉末、及び／又は、そのような金属粉末と光触媒粉末の混合物が含められてもよい。
【００３８】
本実施形態では、板状に形成された麦飯石セラミックス７３が使用されているが、本考案の作用効果が得られる限りにおいて、麦飯石セラミックス７３の形状は限定されず、例えば、小球状に形成された多数の麦飯石セラミックスが袋部８４に挿入されてよい。
【００３９】
図８乃至図１０に示すマスク用機能補助シート体８は、接着層８２を介して図７に示すマスク本体２の表側に貼り付けられるが、図７に示すマスク１０のマスク本体２の表側に、マスク用機能補助シート体８を収納する袋部（図示せず）が設けられてもよい。この場合、マスク用機能補助シート体８には、接着層８２及び剥離シート８３は設けられず、また、図９及び図１０に示す実施形態では、袋部８４が閉じられて、フィルター部８５や麦飯石セラミックス７３がマスク用機能補助シート体８の外部に出ないように構成されることが好ましい。
【００４０】
図１乃至図６に示した第１乃至第４実施形態のマスク本体２においても、麦飯石粉末７に加えて、追加粉末７２、即ち、抗菌及び／又は抗ウイルス作用を有する金属粉末、抗菌及び／又は抗ウイルス作用を有する光触媒粉末、及び／又は、そのような金属粉末と光触媒粉末の混合物が、第１通気性シート５、フィルター部４、第２通気性シート６、フィルター部４１、第１フィルター部４３等に含められてよい。この場合、追加粉末７２は、麦飯石粉末７と混合されてマスク本体２に含められてよく、又は、麦飯石粉末７とは別の箇所にてマスク本体２に含められてよい。例えば、麦飯石粉末７が第１通気性シート５に付着している図１乃至図２に示す第１実施形態のマスク本体２では、追加粉末７２が第２通気性シート６に付着されてよい。また、種類の異なる追加粉末７２が、第１乃至第４実施形態のマスク本体２の別の箇所に含められてよく、例えば、図４に示す第３実施形態のマスク本体２では、第１の種類の追加粉末７２（例えば、光触媒粉末）が一方のフィルター部４１に、第１の種類の追加粉末７２（例えば、金属粉末）が他方のフィルター部４２に含められてよい。
【００４１】
図５及び図６に示す第４実施形態のマスク本体２では、麦飯石粉末７を含む第１フィルター部４３の代わりに、麦飯石セラミックス７３を備えるフィルター部、例えば、円盤状に形成された麦飯石セラミックス７３が使用されてよい。また、麦飯石セラミックス７３又は第２フィルター部４４には、追加粉末７２が含められてよい。
【００４２】
上記実施形態の説明は、本考案を説明するためのものであって、実用新案登録請求の範囲に記載の考案を限定し、或いは範囲を減縮する様に解すべきではない。また、本考案の各部構成は上記実施形態に限らず、実用新案登録請求の範囲に記載の技術的範囲内で種々の変形が可能であることは勿論である。
【符号の説明】
【００４３】
１  マスク
２  マスク本体
２２  フィルター保持部
２６  蓋体
２７  通気孔
３ａ  耳掛け部
３ｂ  耳掛け部
４  フィルター部
４１  フィルター部
４２  フィルター部
４３  第１フィルター部
４４  第２フィルター部
５  第１通気性シート
６  第２通気性シート
７  麦飯石粉末
７１  半固形物
７２  追加粉末
７３  麦飯石セラミックス
８  マスク用機能補助シート体
８１  シート本体
８２  接着層
８３  剥離シート
８４  袋部
８５  フィルター部
１０  マスク
【図１】
0003227662.tif 000003
【図２】
0003227662.tif 000004
【図３】
0003227662.tif 000005
【図４】
0003227662.tif 000006
【図５】
0003227662.tif 000007
【図６】
0003227662.tif 000008
【図７】
0003227662.tif 000009
【図８】
0003227662.tif 000010
【図９】
0003227662.tif 000011
【図１０】
0003227662.tif 000012